(57)【要約】【課題】クラウン側からハート形の光学像を目視可能に出現させる宝石及び当該宝石を用いて構成した宝飾品を提供する。【解決手段】宝石の全高Ｈに対するクラウン４の高さｈ１、ガードル２の厚さｈ２、パビリオン６の深さｈ３を設定すると共に、クラウンのテーブル１０及び複数のクラウンファセットのファセット数や配置状態、クラウンファセットのガードル２に対する傾斜角度を許容範囲内に設定する。更に、パビリオンの複数のパビリオンファセット１２及びロアーガードルファセット１４のファセット数や配置状態、ガードル２に対する傾斜角度を許容範囲内に設定する。【選択図】    図１
2006055339.tif 000002
【特許請求の範囲】
【請求項１】
所定の厚さの薄板状を成すガードル２と、ガードル上部から先細り四角錘形状を成して一体形成された断面台形状のクラウン４と、ガードル下部から先細り四角錐形状を成して一体形成された断面略三角形状のパビリオン６とを有し、且つ、ガードル２の中心とパビリオン先端のキューレットＱとを結ぶ中心軸Ａｘ周りに対称性を有した表面形状を成す宝石８であって、
クラウン４には、平坦状に形成された１つの多角形状のテーブル１０と、テーブル１０からガードル上部に至る表面に形成された複数のクラウンファセットとが設けられていると共に、
パビリオン６には、キューレットＱからガードル下部に至る表面に放射状に等間隔で形成された複数のパビリオンファセット１２と、これらパビリオンファセット１２の間に隣接して形成された三角形状のロアーガードルファセット１４とが設けられ、
複数のクラウンファセットは、テーブル１０の各辺に隣接して形成された三角形状のスターファセット１６と、隣り合うスターファセット１６の間に交互に隣接して形成された三角形状のミドルファセット１８及び菱形状のベゼルファセット２０と、これらミドルファセット１８及びベゼルファセット２０に隣接して形成された矩形状のアッパーガードルファセット２２とから構成されていると共に、
それぞれのパビリオンファセット１２は、キューレットＱから２方向に延出し且つその延出端辺が隣り合うロアーガードルファセット１４に接して形成された２つのベースファセット２４と、これらベースファセット２４の間からガードル下部まで長細く形成された１つの菱形状のセンターファセット２６と、ベースファセット２４とセンターファセット２６とロアーガードルファセット１４との間の領域に隣接して形成された三角形状のサイドファセット２８とから構成されており、
ガードル２の平均直径Ｄ１を１００％とし、この平均直径Ｄ１に対するテーブル上端からキューレットＱまでの全高Ｈの比率が６８.１％〜８５.５％である場合、
テーブル１０の外径Ｄ２を６８％〜７６％、クラウンの高さｈ１を８％〜１０％、ガードルの厚さｈ２を０.１％〜５.５％、パビリオンの深さｈ３を６０％〜７０％の比率に設定し、且つ、
各クラウンファセットのガードル２に対する傾斜角度として、スターファセット１６を１３°〜１６°、ミドルファセット１８を２２°〜２４°、ベゼルファセット２０を１５°〜１７°、アッパーガードルファセット２２を２５°〜２８°に設定し、更に、
ロアーガードルファセット１４のガードル２に対する傾斜角度を５５°〜５６.５°に設定すると共に、パビリオンファセット１２のガードル２に対する傾斜角度として、ベースファセット２４を４２.５°〜４３.５°、センターファセット２６を４１°〜４２°、サイドファセット２８を４２°〜４３°に設定したことを特徴とする宝石。
【請求項２】
隣り合うパビリオンファセット１２とロアーガードルファセット１４とが交わる笹目点ＴｓからキューレットＱまでの長さＳ１と、笹目点Ｔｓからガードル２までの長さＳ２との比は、Ｓ１：Ｓ２＝１：略２.５に設定されていることを特徴とする請求項１に記載の宝石。
【請求項３】
宝石は透光性を有する材質であり、宝石に入射した光がパビリオンに設けられた複数のパビリオンファセット１２及びロアーガードルファセット１４からクラウン４方向に反射することにより、クラウン４のテーブル１０からハート形の光学像を出現させることを特徴とする請求項１又は２に記載の宝石。
【請求項４】
ハート型の光学像は、前記中心軸Ａｘ周りに対称性を有して出現することを特徴とする請求項３に記載の宝石。
【請求項５】
請求項１〜４のいずれか１に記載の宝石を用いた宝飾品であって、
宝飾品には、宝石を固定する台座と、台座に支持された宝石を装身するための装身手段とが設けられていることを特徴とする宝飾品。
【請求項６】
宝飾品には、少なくとも、指輪、イヤリング、ネックレス、ブローチ、かんざし、ブレスレットが含まれることを特徴とする請求項５に記載の宝飾品。
【発明の詳細な説明】
【技術分野】
【０００１】
本発明は、クラウン側からハート形の光学像を目視可能に出現させる宝石及び当該宝石を用いた宝飾品に関する。なお、宝石は貴石とも称され、天然宝石と人造宝石とを含む概念である。また、宝飾品は、例えば、指輪、イヤリング、ネックレス、ブローチ、かんざし、ブレスレットなどのアクセサリ(装身具)を含む概念である。
【背景技術】
【０００２】
従来、宝石には、そのクラウンやパビリオンを部分的にカット(研磨)した複数のカット面(ファセット)が形成されており、これらファセットのプロポーションやフィニッシュにより例えば特許文献１に示すような光学像(アロー像、ハート像)が出願する。なお、プロポーションとは、例えばテーブル径やクラウン角度、ガードル厚さやパビリオン角度及びパビリオン深さなどの要素で規定され、フィニッシュとは、例えば、ファセットの形や対称性及びポリッシュなどの要素で規定される。
【０００３】
ところで、従来の宝石から出現する光学像において、アロー像はクラウンから目視観察でき、ハート像はパビリオンから目視観察できる。この場合、例えば指輪やブレスレットなどの宝飾品に宝石をセットしてしまうと、パビリオン側から目視観察できるハート像が例えば宝飾品の台座に邪魔されて外部から直接観察できなくなってしまう。このような宝飾品を購入した者にとって、宝石から出現するハート像を確認する術は、例えば鑑定書に添付された写真のみであり、実際にハート像を目視観察することができないため、宝石及び宝飾品に対する魅力や芸術性或いは興趣性が半減してしまう結果となっている。
そこで、クラウン側からハート形の光学像を目視可能に出現させる宝石及び当該宝石を用いて構成した宝飾品に対する要望が高まっているが、現在でそのような宝石や宝飾品は知られていない。
【特許文献１】特開２００３−１１１６０６号公報
【発明の開示】
【発明が解決しようとする課題】
【０００４】
本発明は、このような要望に応えるために成されており、その目的は、クラウン側からハート形の光学像を目視可能に出現させる宝石及び当該宝石を用いて構成した宝飾品を提供することにある。
【課題を解決するための手段】
【０００５】
このような目的を達成するために、本発明は、ガードルの中心とパビリオン先端のキューレットとを結ぶ中心軸周りに対称性を有した表面形状を成す宝石であって、パビリオンには、キューレットからガードル下部に至る表面に放射状に等間隔で形成された複数のパビリオンファセットと、これらパビリオンファセットの間に隣接して形成された三角形状のロアーガードルファセットとが設けられている。また、パビリオンファセットは、キューレットから方向に延出し且つその延出端辺が隣り合うロアーガードルファセットに接して形成された２つのベースファセットと、これらベースファセットの間からガードル下部まで長細く形成された１つの菱形状のセンターファセットと、ベースファセットとセンターファセットとロアーガードルファセットとの間の領域に隣接して形成された三角形状のサイドファセットとから構成されている。そして、これら各ファセットのガードルに対する傾斜角度や比率を設定することにより、宝石に入射した光は、パビリオンに設けられた複数のパビリオンファセット及びロアーガードルファセットからクラウン方向に反射した後、クラウンのテーブルからハート形の光学像となって出現する。
【発明の効果】
【０００６】
本発明の宝石及び宝飾品によれば、クラウン側からハート形の光学像を目視可能に出現させることができるため、従来の宝石及び宝飾品に比べて魅力や芸術性或いは興趣性を高めることが可能となる。
【発明を実施するための最良の形態】
【０００７】
以下、本発明の一実施の形態に係る宝石及び宝飾品について、添付図面を参照して説明する。
図１(ａ),(ｂ)及び図２(ａ),(ｂ)に示すように、本実施の形態の宝石８は、所定の厚さの薄板状を成すガードル２と、ガードル上部から先細り四角錘形状を成して一体形成された断面台形状のクラウン４と、ガードル下部から先細り四角錐形状を成して一体形成された断面略三角形状のパビリオン６とを有しており、ガードル２の中心とパビリオン先端のキューレットＱとを結ぶ中心軸Ａｘ周りに対称性を有した表面形状を成している。
【０００８】
本実施の形態では、一例として、ガードル２の表面形状が四角形である宝石８を想定する。なお、宝石８は，透光性を有する材質であり、例えば、ジルコニア、天然ダイヤモンド、ルビー、サファイア、ムーンストーン、トルマリン、トパーズ、アクアマリン、アメシスト、エメラルド、人造ダイヤモンドなどを想定することができる。
【０００９】
ガードル２の厚さｈ２は、宝石８の全高(トータルデプス)Ｈに応じて任意に設定することができる。この場合、全高Ｈは、宝石８のガードル２の平均直径Ｄ１を１００％とし、この平均直径Ｄ１に対する宝石８の上端(テーブル１０の上端)からキューレットＱまでの距離の比率(％)で表される。本実施の形態では、一例として比率６８.１％〜８５.５％の全高Ｈを有する宝石８を想定し、ガードル２の厚さｈ２を０.１％〜５.５％に設定する。なお、ガードル２の平均直径Ｄ１は、例えば表面形状が四角形のガードル２の四隅までの２つの対角線の長さと、対向辺までの２つの長さを測定し、その合計長さを４で除算した算出値を平均直径Ｄ１としている。
【００１０】
クラウン４には、その上部側に平坦状に形成された１つの多角形状のテーブル１０と、テーブル１０からガードル２の上部に至る表面に形成された複数のクラウンファセットとが設けられている。本実施の形態では、一例として八角形状のテーブル１０を想定し、テーブル１０の外径Ｄ２の比率を６８％〜７６％、クラウン４の高さｈ１の比率を８％〜１０％に設定する。なお、テーブル１０の外径Ｄ２は、例えばテーブル１０の角P1,P2,P3,P4を対角線状に結んだ４つの線分の長さを測定し、その合計長さを４で除算した算出値を外径Ｄ２としている。この場合、クラウン角度θｃは例えば次の三角関数から算出することができる。ｔａｎθｃ＝ｈ１／{(Ｄ１−Ｄ２)÷２}
【００１１】
複数のクラウンファセットは、八角形状のテーブル１０の各辺(八つの辺)に隣接して形成された三角形状のスターファセット１６と、隣り合うスターファセット１６の間に交互に隣接して形成された三角形状のミドルファセット１８及び菱形状のベゼルファセット２０と、これらミドルファセット１８及びベゼルファセット２０に隣接して形成された矩形状のアッパーガードルファセット２２とから構成されている。
なお、クラウン４に形成されたファセットの数は、上記のテーブル１０を含めて合計２１ファセット数に設定しているが、宝石８の表面形状や大きさなどに応じて任意に設定することが可能である。
【００１２】
また、複数のクラウンファセットのガードル２に対する傾斜角度として、本実施の形態では、一例として、スターファセット１６を１３°〜１６°、ミドルファセット１８を２２°〜２４°、ベゼルファセット２０を１５°〜１７°、アッパーガードルファセット２２を２５°〜２８°に設定する。
【００１３】
パビリオン６には、キューレットＱからガードル２の下部に至る表面に放射状に等間隔で形成された複数のパビリオンファセット１２と、これらパビリオンファセット１２の間に隣接して形成された三角形状のロアーガードルファセット１４とが設けられている。本実施の形態では、一例として、全高Ｈが６８.１％〜８５.５％の比率の宝石８に対して、クラウン４の高さｈ１の比率を８％〜１０％に設定すると共に、ガードル２の厚さｈ２を０.１％〜５.５％の比率に設定たことにより、パビリオンの深さｈ３は６０％〜７０％の比率に設定される。この場合、クラウン角度θｐは例えば次の三角関数から算出することができる。ｔａｎθｐ＝ｈ３／(Ｄ１÷２)
【００１４】
それぞれのパビリオンファセット１２は、キューレットＱから２方向に延出し且つその延出端辺が隣り合うロアーガードルファセット１４に接して形成された２つのベースファセット２４と、これらベースファセット２４の間からガードル下部まで長細く形成された１つの菱形状のセンターファセット２６と、ベースファセット２４とセンターファセット２６とロアーガードルファセット１４との間の領域に隣接して形成された三角形状のサイドファセット２８とから構成されている。
【００１５】
なお、パビリオン６に形成されたファセットの数は、上記のロアーガードルファセット１４を含めて合計２４ファセット数に設定しているが、宝石８の表面形状や大きさなどに応じて任意に設定することが可能である。図１(ｂ)では、対角線状に配置した４つのパビリオンファセット１２を例示したが、２〜３或いは５つ以上のパビリオンファセット１２を形成しても良い。
【００１６】
また、本実施の形態では、一例として、ロアーガードルファセット１４のガードル２に対する傾斜角度を５５°〜５６.５°に設定すると共に、パビリオンファセット１２のガードル２に対する傾斜角度として、ベースファセット２４を４２.５°〜４３.５°、センターファセット２６を４１°〜４２°、サイドファセット２８を４２°〜４３°に設定する。
【００１７】
このような構成の宝石８によれば、当該宝石８に入射した光がパビリオン６に設けられた複数のパビリオンファセット１２及びロアーガードルファセット１４からクラウン４方向に反射することにより、クラウン４のテーブル１０からハート形の光学像Ｌを出現させることができる。具体的には、図３(ｂ)に示すように、中心軸Ａｘ周りに対称性を有した状態で４つのハート形の光学像Ｌが出現する。なお、ハート形の光学像Ｌの数は、パビリオンファセット１２の数を増減することにより、任意に設定することができる。例えばパビリオンファセット１２の数を５つにすれば５つの光学像Ｌを出現させることができる。
【００１８】
この場合、隣り合うパビリオンファセット１２とロアーガードルファセット１４とが交わる笹目点ＴｓからキューレットＱまでの長さＳ１と、笹目点Ｔｓからガードル２までの長さＳ２との比は、Ｓ１を１とした場合にＳ２が約２.５倍(Ｓ１：Ｓ２＝１：略２.５)となるように設定することが好ましい。これにより、宝石８の光沢閃光を所望のレベルに調節し、ハート形の光学像Ｌをより鮮明に出現させることができる。
【００１９】
以上、本実施の形態によれば、クラウン４側からハート形の光学像Ｌを目視可能に出現させることができるため、宝石８を用いた宝飾品の魅力や芸術性或いは興趣性を従来品に比べて高めることが可能となる。例えば図３(ａ)には、宝石８を用いた宝飾品である指輪の構成例が示されており、宝飾品(指輪)には、宝石８を固定する台座３０と、台座３０に支持された宝石８を装身するための装身手段３２とが設けられている。この場合、装身手段３２は指輪のリングである。
【００２０】
このような宝飾品によれば、従来では指輪に宝石をセットしてしまうと、パビリオン６側から観察できるハート像が宝飾品の台座３０に邪魔されて外部から直接観察できなくなってしまうが、本実施の形態の宝石８では、クラウン４側からハート形の光学像Ｌを目視可能に出現させることができるため、指輪を装身した者はいつでもハート形の光学像Ｌを目視観察して楽しむことが可能となる。
なお、宝飾品としては、指輪の他に、例えば、イヤリング、ネックレス、ブローチ、かんざし、ブレスレットなどを想定することができる。
【００２１】
また、上述した実施の形態では、表面形状が四角錘のプリンセスカットタイプの宝石８を想定して説明したが、これに限定されることは無く、例えば、ラウンドカット、スクエアカット、マーキーズカット、ペアシェイプカット、オーバルカット、テーパーカット、エメラルドカット、ハートシェイプカットなど従来一般的に知られた形状の宝石８にも、本発明の技術的思想を適用することができることは言うまでも無い。
【図面の簡単な説明】
【００２２】
【図１】(ａ)は、クラウン側から見た宝石の平面図、(ｂ)は、パビリオン側から見た宝石の平面図。
【図２】(ａ)は、宝石の側面図、(ｂ)は、図１(ａ),(ｂ)の矢印Ｅ方向から見た宝石の斜視図。
【図３】(ａ)は、宝石を用いた宝飾品の構成を示す部分拡大図、(ｂ)は、ハート形の光学像がクラウン側から出現している状態を示す図。
【符号の説明】
【００２３】
２  ガードル
４  クラウン
６  パビリオン
８  宝石
１０  テーブル
１２  パビリオンファセット
１４  ロアーガードルファセット
１６  スターファセット
１８  ミドルファセット
２０  ベゼルファセット
２２  アッパーガードルファセット
２４  ベースファセット
２６  センターファセット
２８  サイドファセット
【図１】
2006055339.tif 000003
【図２】
2006055339.tif 000004
【図３】
2006055339.tif 000005